(57)【特許請求の範囲】
【請求項１】
並列する複数の換気用ダクト（８）の端部にフード（５）をそれぞれ取付け、前記各フード（５）を同じ大きさとするとともに、前記一のダクト（８）の端末開口にプロペラファン（９）を設けた装置であって、
上記各ダクト（８）の端末開口をそれぞれ囲む大きさの四角枠状に形成され、建物の外面に固定する取付け枠（２）と、前記取付け枠（２）の前面に重ねた状態で前記ダクト（８）の端末開口を覆うようにするフード（５）と、前記フード（５）の前面側周囲を押えるように配置する四角枠状押え部材（６）とからなり、
上記取付け枠（２）に上記フード（５）をその周縁のフランジ（１７）を介して重ね、さらにそのフランジ（１７）の前面に上記押え部材（６）をその取付け孔（１８）を介し前記取付け枠（２）に設けたねじ軸（７ａ）を挿入して重ねて、そのねじ軸（７ａ）にナット（７ｂ）を螺合し、前記取付け枠（２）に対して、フード（５）と押え部材（６）の重なり部分の複数箇所を前記ねじ軸（７ａ）とナット（７ｂ）からなる締結具（７）によって固定化するようにしたダクト端部のフード取付け装置。
【請求項２】
上記取付け枠（２）とフード（５）の間に、上記プロペラファン（９）を設けた以外のダクト（８）の端末開口へ挿入する挿入パイプ（１１）が後面側に固定され、前記挿入パイプ（１１）が固定された部分が開口となる四角板状ベースプレート（３）を配置した請求項１に記載のダクト端部のフード取付け装置。
【請求項３】
上記ベースプレート（３）とフード（５）の間に介在させることにより、前記ベースプレート（３）の開口を覆うことができるフィルター部材（４）を備えている請求項２に記載のダクト端部のフード取付け装置。
【請求項４】
上記フード（５）は、三枚の三角板（１６）が集合することにより一面が開放した四角錐形状に形成され、各三角板（１６）の端縁に、取付け枠（２）またはベースプレート（３）の前面に重ねるフランジ（１７）が設けられている請求項１乃至３の何れか一つに記載のダクト端部のフード取付け装置。
【発明の詳細な説明】
【技術分野】
【０００１】
この発明は、建物に設けられた換気ダクト等の外壁に臨んで開口する端末にフードを取付けるためのダクト端部のフード取付け装置に関する。
【背景技術】
【０００２】
浴室やトイレ、キッチンなどにおける換気は、これらの先端を臨ませた換気ダクトを建物に設け、この換気ダクトの端末を建物の外壁で開口させ、換気扇で吸引した空気を屋外に排出するようになっており、このような換気ダクト等の外壁に臨んで開口する端末は、風雨や小動物の進入を防ぐと共に、見た目の美観を向上させるためにフードで覆うようにしている。
【０００３】
既製品として販売されている従来の一般的なフードには、例えば、下に向けて開口するフードの背面側にパイプを設けたベンドキャップタイプのフードと、直接プロペラファンを設けたウェザーカバータイプのフードがあり、ベンドキャップタイプのフードは、前記パイプを換気ダクトの外壁に臨む端末の開口へ挿入し、外周に設けたフランジから取付けねじを壁面にねじ込むことで固定し、また、ウェザーカバータイプのフードは、フードの外周に設けたフランジから取付けねじを壁面にねじ込むことで固定するようになっており、このようなフードは、前記パイプが換気ダクトの径に応じたサイズのもの、あるいは、プロペラファンが換気ダクトの径に対応するサイズのものを選び、これを換気ダクトの端末開口に取付け、更に、換気ダクトの端末開口が複数並んでいる場合、それぞれの端末開口に対してフードを個々に取付けるようにしている（例えば、特許文献１参照）。
【先行技術文献】
【特許文献】
【０００４】
【特許文献１】特開２００５−２１４４６７号公報
【発明の概要】
【発明が解決しようとする課題】
【０００５】
ところで、ベンドキャップタイプのフードを使用した場合において、換気ダクトが複数並んでいる場合、同じデザインのフードを取付けたとしても、換気ダクトの径が異なっていると、大きさの異なるフードが並ぶことになり、また、換気ダクトの端末開口に段差があると、フードの配置に段差が生じ、何れにしてもフードの配置が見た目に不体裁となり、更に、これにウェザーカバータイプのフードが加わると、デザイン的にも異なり、建物全体の美観を損ねるという問題がある。
【０００６】
そこで、この発明の課題は、上記した問題点を解決するため、換気ダクトの端末開口に対して簡単に取付けることができ、換気ダクトが複数並んでいる場合、換気ダクトの径が異なっていたり端末開口に段差があっても、フードの配置と大きさを揃えることができ、更に、異なる種類のフードを混在させる場合でも、デザインの統一性を図ることが可能となり、見た目の体裁をよくすることで建物全体の美観を向上させることができるダクト端部のフード取付け装置を提供することにある。
【課題を解決するための手段】
【０００７】
上記の課題を解決するため、この発明は、ダクトの端末開口を囲む大きさの枠状に形成され、建物の外面に固定する取付け枠と、前記取付け枠の前面に重ねた状態で前記ダクトの端末開口を覆うようにするフードと、前記フードの前面側周囲を押えるように配置する押え部材とからなり、前記取付け枠に対して、フードと押え部材の重なり部分の複数箇所を締結具によって固定化するようにしたものである。
【０００８】
上記取付け枠とフードの間に、上記ダクトの端末開口へ挿入する挿入パイプが後面側に固定され、前記挿入パイプが固定された部分が開口となるベースプレートを配置するようにしてもよい。
【０００９】
上記フードは、三枚の三角板が集合することにより一面が開放した四角錐形状に形成され、各三角板の端縁に、取付け枠またはベースプレートの前面に重ねるフランジが設けられている構造とすることができる。
【００１０】
上記取付け枠またはベースプレートとフードの間に介在させることにより、上記ダクトの端末開口を覆うことができるフィルター部材、防虫網、防鳥網等を備えているようにすることができる。
【００１１】
ここで、上記取付け枠は、帯状の金属板を用い、換気ダクトの端末開口を囲むことのできる大きさの角形枠に形成され、また、並列する複数の換気ダクトに対してフードを取付ける場合、単独の取付け枠を並べて用いてもよいし、複数の換気ダクトの端末開口を覆える長さに形成した連続ものを用いることもでき、建物の外面に接着や締結具の打ち込みによって固定される。
【００１２】
上記ベースプレートは、金属板を用いて取付け枠の前面に重なる角形に形成され、上記換気ダクトの端末開口へ挿入する円筒状のパイプが裏面側に突出するよう固定されている。
【００１３】
上記フードは、一枚の金属板を用い、これを一面が開放した四角錐形状に折り曲げ、上部と両側に三角板が位置して下面が開放した形状となり、各三角板の端縁に外方に張り出すフランジが設けられ、また、上記押え部材は、フードに設けたフランジの表面に重なる枠状に形成されている。
【００１４】
このような形状のフードは、サイズを大きくしても角度的に同じものとなり、フードデザインの統一性を図ることができる。
【００１５】
取付け枠に、ベースプレートとフードを固定する締結具は、取付け枠の表面で四箇所の位置に突設したねじ軸と、これに螺合するナットによって形成され、ベースプレートの四隅に設けた取付け孔をねじ軸に挿入し、フードのフランジをねじ軸で囲まれた部分に収めることでベースプレートに重ね、押え部材の四隅に設けた取付け孔をねじ軸に挿入し、このねじ軸にナットをねじ込んで締め付けるようにすればよく、ナットを緩めれば、ベースプレートとフードは簡単に取外せるので、メンテナンス性の向上が図れる。
【００１６】
取付け枠が、並列する複数の換気ダクトに対してフードを取付けるものである場合、換気ダクトの径が異なったり上下に段差があっても、各換気ダクトごとのフードは、同じ大きさもしくは、同じ形状のものを取付け枠の長さ方向に直線状態で並ぶように取付け、フードの大きさの統一と直線の並びによってデザイン性の統一により美観の向上を図るようにする。
【発明の効果】
【００１７】
この発明によると、建物の外面に固定する取付け枠の前面に、換気ダクトの端末開口を覆うようにフードを重ね、これを、押え部材と締結具によって固定化するようにしたので、建物に設けられた換気ダクト等の外壁に臨んで開口する換気ダクトの端末開口に対してフードを簡単な手順で取付けることができ、換気ダクト等への新規のフード取付け及び、既設フードの取換えが、特別な技術を要することなく簡単に行え、施工性とメンテナンス性の向上をはかることができる。
【００１８】
また、複数のダクト端部が並んでいる場合、取付け枠を並べるか、取付け枠を並んでいる複数の換気ダクトの端末開口を覆える幅と長さに設定し、各換気ダクトの端末開口と対応する位置にフードを取付け、複数の換気ダクトの端末開口に対するフードを同一化及び直列化することにより、同じフードが整然と並ぶことで見た目の体裁がよくなり、デザインの統一性と集合化により、建物全体の美観を向上させることができる。
更に、取付け枠とフードを別体化することにより、交換時にはフードのみ、あるいは、材質の異なるフードの取付けも可能になり、しかも、フードを四角錐形状とすることにより、風の方向性、給排気効率の向上が図れることになる。
【図面の簡単な説明】
【００１９】
【図１】この発明に係るダクト端部のフード取付け装置を示す構成部材の分解斜視図
【図２】（ａ）はこの発明に係るダクト端部のフード取付け装置を示す取付け状態の正面図、（ｂ）は同側面図
【図３】この発明に係るダクト端部のフード取付け装置を示す取付け状態の拡大した縦断側面図
【図４】この発明に係るダクト端部のフード取付け装置だけを組み立ててこれを前面側の下から見上げた状態を示す斜視図
【図５】この発明に係るダクト端部のフード取付け装置を示すプロペラファンを組合わせた取付け状態の正面図
【発明を実施するための形態】
【００２０】
以下、この発明の実施の形態を図示例に基づいて説明する。
【００２１】
図示のように、ダクト端部のフード取付け装置１は、建物Ａの外面に重ねて固定する取付け枠２と、取付け枠２の前面に重ねて配置するベースプレート３と、前記ベースプレート３の前面に重ねるフィルター部材４と、フィルター部材４の前面に重ねるフード５と、このフード５の前面側周囲を押えるように配置する押え部材６とからなり、前記取付け枠２に対して、ベースプレート３とフィルター部材４、フード５及び押え部材６の重なり部分の複数箇所を締結具７によって固定化するようになっている。
【００２２】
上記取付け枠２は、塗装を施した金属板やステンレス鋼、樹脂や陶器を用い、単独の換気ダクト８にフード５を取付ける場合、換気ダクト８の端末開口を覆える大きさの角形枠に形成され、建物Ａの外面に接着や締結具の打ち込みによって固定される。なお、上記取付け枠２の大きさは、一般の建物において採用されている最大径の換気ダクト８に対してその端末開口を覆える大きさとする。
【００２３】
また、並列する複数の換気ダクト８に対してフード５を取付ける場合、これに使用する取付け枠２は、図２（ａ）のように、単独の取付け枠２を並べるか、複数の換気ダクト８の端末開口を覆える長さを有するものに形成し、建物Ａの外面に接着や締結具の打ち込みによって固定される。
【００２４】
上記ベースプレート３は、単独の換気ダクト８にフード５を取付ける場合の取付け枠２よりも一回り小さく、一般の建物において採用されている最大径の換気ダクト８に対してその端末開口を覆える大きさの金属板を用い、取付け枠２の前面に重なる角形に形成され、その四隅の位置に取付け孔１０が設けられていると共に、ダクト８の端末開口へ挿入する円筒状のパイプ１１が裏面側に突出するよう固定され、前記パイプ１１を突設した部分は円形の開口１２になっている。
【００２５】
上記フィルター部材４は、防虫や防鳥等の機能を有し、図示の場合、矩形状金網１３の四周縁に周縁材１４を枠状に設けた構造を有し、ベースプレート３と同様の大きさになっており、周縁材１４の四隅の位置に取付け孔１５が設けられている。
【００２６】
上記フード５は、図示の場合、鋼板やステンレス鋼等の一枚の金属板を用い、これを一面が開放した四角錐形状に折り曲げ、上部と両側に三角板１６が位置して下面が開放した形状となり、各三角板１６の端縁に外方に張り出すフランジ１７が設けられ、このフランジ１７の外縁がベースプレート３の外縁に一致するような大きさに形成されている。
【００２７】
なお、フード５は、別々に裁断した三枚の金属三角板を用い、これを集合させて溶接により結合させたり、合成樹脂や陶器、アルミ等を材料に用いて、一面が開放した四角錐形状に形成することも可能である。
【００２８】
ちなみに、一例として、フードの三角板１６は、フランジ１７を設けた底辺が２０ｃｍ程度、高さが１４ｃｍ程度の大きさに形成され、フランジ１７は幅が２ｃｍ程度になっているが、三角板１６をこれよりも大きくしてフード５を形成した場合、三角板１６の傾斜角度が同じフードが得られることになる。
【００２９】
上記押え部材６は、図３で示すような断面Ｌ形の金属杆材を用い、フード５に設けたフランジ１７の表面に重なる四角い枠状に形成され、その四隅の位置に取付け孔１８が設けられている。
【００３０】
上記締結具７は、取付け枠２の表面で四箇所の位置に突設したねじ軸７ａと、このねじ軸７ａに螺合するナット７ｂからなり、ねじ軸７ａとベースプレート３等に設けた各取付け孔１０、１５、１８とは一致する配置となり、単独でフード５を取付ける場合の取付け枠２の場合、この取付け枠２の四隅の位置にねじ軸７ａが突設されている。
【００３１】
また、並列する複数の換気ダクト８に対してフード５を取付ける場合の長い取付け枠２においては、各換気ダクト８の端末開口と対応する部分の上下四箇所の位置にねじ軸７ａが突設されている。この場合、上部のねじ軸７ａ及び下部のねじ軸７ａは、取付け枠２の長さ方向に沿って同一線上に位置する配置とし、取付け枠２に取付けるフード５が取付け枠２の長さ方向に沿って一列に並ぶ配置となるようになっている。
【００３２】
なお、建物Ａに設けられた換気ダクト８は、図２（ａ）で例示するように、位置や数だけでなく直径も異なる場合があり、従って、ベースプレート３に対して設けるパイプ１１は換気ダクト８に合わせて位置と直径を設定する。
【００３３】
ここで、並列する複数の換気ダクト８に対してフード５を取付ける場合、取付け枠２の長さ方向に沿ってフード取付け位置を予め設定しておいた場合、ベースプレート３のパイプ１１と開口１２は、ベースプレート３の中心だけでなく、図２（ａ）のように、上下や左右の片寄った位置に設けられることになる。
【００３４】
また、図示したフィルター部材４はこれを省略することも可能であり、換気ダクト８の端末開口にプロペラファンを設ける場合は、ベースプレート３を省略するようにし、更に、フード５は形状や材質を選ばないと共に、更に、図面では、押え部材６における下桟の前面に断面略Ｌ形の風向き整流板１９を重ねて取付けた例を示している。
【００３５】
この発明のフード取付け装置は、上記のような構成であり、この装置を用いて建物Ａに設けられた換気ダクト８の外壁に臨んで開口する端末開口にフード５を取付ける方法を説明する。
〈単独のダクトにフードを取付ける場合〉
【００３６】
先ず、取付け枠２と換気ダクト８の端末開口の位置と径に適合したパイプ１１と開口１２を設けたベースプレート３を用意し、建物の壁面に取付け枠２を換気ダクト８の端末開口を囲むように重ね、接着や締結具の打ち込みによって固定する。
【００３７】
上記取付け枠２には四箇所の位置にねじ軸７ａが突設してあるので、次に、取付け枠２の前面にベースプレート３を臨ませ、そのパイプ１１を換気ダクト８の端末開口内に挿入しながら、四隅の取付け孔１０をねじ軸７ａに挿入し、このベースプレート３を取付け枠２に重ねる。
【００３８】
上記ベースプレート３の前面に臨ませたフィルター部材４を、ねじ軸７ａに四隅の取付け孔１５を挿入することでベースプレート３に重ね、フィルター部材４の前面に開放面を下にしてフード５を臨ませ、四方のねじ軸７ａ間にこのフード５を納めるようにして周囲のフランジ１７をフィルター部材４に重ね、最後に枠状となる押え部材６をフード５に被せるようにしてその四隅の取付け孔１８をねじ軸７ａに挿入し、この状態で各ねじ軸７ａにナット７ｂを螺合して締め付ければ、図２と図３のように、取付け枠２に対してベースプレート３とフィルター部材４、フード５、押え部材６が重なり状態で固定される。
【００３９】
上記のようにして取付け枠２の前面にフード５を取付けると、図３に拡大した縦断面図のように、換気ダクト８と接続したパイプ１１の開口が室外側に臨み、その前面をフィルター部材４の金網１３が覆っていると共に、下面側が開口する四角錐形のフード５は、三角板１６によって換気ダクト８の端末開口の前方を上部と両側から覆い、同図で示した矢印のように、換気ダクト８からパイプ１１と開口１２を通って出てきた排気を外方と下向きに抵抗の発生を少なくして効率よく流出させることができる。
【００４０】
また、下面側が開口する四角錐形のフード５は、各面が傾斜していることにより、外部からの風雨に対して抵抗を受けにくい形状になっている。
<並列する複数の換気ダクトにフードを取付ける場合>
【００４１】
取付け枠２に複数の並列する換気ダクト８の端末開口を覆える大きさのものを用意し、各換気ダクト８の端末開口と対応するフード取り付け位置の上下箇所にねじ軸７ａを突設し、取付け枠２の前面に重ねるベースプレート３は、各取付け位置ごとに換気ダクト８の端末開口に位置と径に適合したパイプ１１と開口１２を設けておく。
【００４２】
上記取付け枠２を建物の壁面にそれぞれの換気ダクト８の端末開口を囲むように重ね、接着や締結具の打ち込みによって固定する。
【００４３】
上記取付け枠１の前面で各取付け位置ごとに対応するベースプレート３を臨ませ、四隅の取付け孔１０をねじ軸７ａに挿入し、パイプ１１を端末開口からダクト８内に挿入する。
【００４４】
この後、各取付け位置ごとに、上記と同様にして、フィルター部材４、フード５、押え部材６をねじ軸に取付け、これらをねじ軸７ａに螺合したナット７ｂを締め付けて取付け枠２に固定すれば、フード５の取付けが完了する。
【００４５】
このようにして複数が並列する換気ダクト８の端末開口に対してフード５を取付けると、図２（ａ）のように、各換気ダクト８の端末開口に径の相違や上下配置に段差があっても、これらを覆うフード５は全てが同じ大きさとなり、しかも、各フード５が取付け枠２の長さ方向に直線状の配置となり、従来のようなフードの大きさや位置の不揃いによる見た目の不体裁感を解消でき、建物の美観向上を図ることができる。
【００４６】
また、図５は、換気ダクト８の端末開口にプロペラファン９を取付ける場合を組合わせた場合のフード５の配列例を示し、図面では、プロペラファン９を取付ける換気ダクト８の端末開口に対する取付け枠２とフード５を他のものより一回り大きくしているが、フード５の形状は同じであり、デザイン性の統一を図ることができることになる。
【００４７】
なお、上記した説明では、建物のダクトとして換気ダクト８を例示したが、この発明のフード取付け装置は、吸気ダクトの入り側端末に取付けて使用することも可能である。
【符号の説明】
【００４８】
１        フード取付け装置
２        取付け枠
３        ベースプレート
４        フィルター部材
５        フード
６        押え部材
７        締結具
８        換気ダクト
９        プロペラファン
１０      取付け孔
１１      パイプ
１２      開口
１３      矩形状金網
１４      周縁材
１５      取付け孔
１６      三角板
１７      フランジ
１８      取付け孔
１９      整流板
【図１】
0005532298.tif 000002
【図２】
0005532298.tif 000003
【図３】
0005532298.tif 000004
【図４】
0005532298.tif 000005
【図５】
0005532298.tif 000006